(57)【特許請求の範囲】
【請求項１】
呼吸ガスが通過する流管と、
前記流管の側壁の対向する位置に形成され、赤外光が透過する透過窓と、
を備えるエアウエイアダプタにおいて、
前記流管の内周面から突出し前記透過窓を囲むフレームを備えていることを特徴とするエアウエイアダプタ。
【請求項２】
前記透過窓は、前記フレームの前記流管内に突出する端面に設けられていることを特徴とする請求項１に記載のエアウエイアダプタ。
【請求項３】
前記流管は狭搾された部分を有し、前記流管の前記狭搾された部分の側壁に前記透過窓は形成されており、
前記流管内における前記フレームの端部の先端は、前記流管の内部の狭搾されていない空間まで至っていることを特徴とする請求項１または請求項２に記載のエアウエイアダプタ。
【請求項４】
前記流管の前記狭搾された空間の出入り口部分で、前記流管の内側角部にテーパが設けられていることを特徴とする請求項１乃至請求項３のいずれか１つに記載のエアウエイアダプタ。
【請求項５】
前記透過窓の前記流管内側の面に防曇層が形成されていることを特徴とする請求項１乃至請求項４のいずれか１つに記載のエアウエイアダプタ。
【発明の詳細な説明】
【０００１】
【発明の属する技術分野】
本発明は、例えば人工呼吸器に取り付けられ、呼吸気中の炭酸ガス濃度を測定するエアウエイアダプタに関する。
【０００２】
【従来の技術】
人工呼吸器を用いて生体の呼吸を人工的に行うとき、その流路にエアウエイアダプタを取り付けて呼吸気中の炭酸ガス濃度を測定している。図４は従来のエアウエイアダプタの一例の構成を示す外観斜視図である。図４において、円筒状の流管１の軸方向の中心部は、断面が矩形管状となっており、この部分の両側壁の対向する位置には赤外線を透過する円形の窓部２が開孔して形成されている。
【０００３】
窓部２の内側の内周には図５の断面図に示すように、内側が縮径する段差部３が同心状に形成されており、段差部３を介してポリエステルなどで円板状に形成された透明膜である透明シート４が貼られ透過窓が形成されている。また透明シート４の内面には防曇層５が塗布または蒸着されている。
【０００４】
図６は透明シート４の窓部２への従来の固定方法の他の一例の構成を示す図５に対応する断面図である。図６において、透明シート４の外周をフレーム６により窓部２の内周に外側からカシメてまたは溶着して固定している。このとき透明シート４の内面の防曇層５は流管１の内壁面とほぼ同一面となっている。
【０００５】
【発明が解決しようとする課題】
しかしながら図５に示す従来例によると、流管１の内壁と防曇層５の内面との間に段差があるため、呼吸気に含まれる水分が水滴となり、図７に示すように水分８が段差部の重力方向にたまる。このため赤外線が窓部２を透過するときの光量が減少し、測定誤差を生じるおそれがあった。
【０００６】
また図６に示す従来例によると、流管１の内壁と防曇層５の内面とがほぼ同一面となっているため、窓部２の内周に水がたまるおそれはないが、透過窓が水平になるようにエアウエイアダプタが置かれて流管１の内壁に沿って流管に結露した水が流れるとき、図８に示すように防曇層５上を通過するため測定誤差が生じるおそれがあった。
【０００７】
本発明はこのような状況に鑑みてなされたもので、測定中の流管内を流れる呼吸気中の水の影響を少くし、長時間安定して測定を行うことのできる炭酸ガス濃度測定用エアウエイアダプタを提供することを目的とする。
【０００８】
【課題を解決するための手段】
上記目的を達成するために、本発明は、呼吸ガスが通過する流管と、前記流管の側壁に対向する位置に形成され、赤外光が透過する透過窓と、を備えるエアウエイアダプタにおいて、前記流管の内周面から突出し前記透過窓を囲むフレームを備えていることを特徴とする。
【０００９】
上記構成によると、流管内を流れる呼吸気中の水分による水滴が流管の内壁に沿って流れるとき、水滴は前記流管の内周面から突出したフレームの外側を通過し、透過窓上を通過することはない。この結果透過窓を透過する赤外光が水滴の影響を受けることがなくなり、測定誤差が生ずることはない。
【００１１】
前記透過窓を、前記フレームの前記流管内に突出する端面に設けるならば、水滴は透過窓上を通過することはない。
【００１２】
また、前記フレームは、前記流管における狭搾されていない空間まで形成するならば、狭搾される空間の手前から流路が形成されるので、水滴が透過窓を通過することを一層回避することができる。
【００１３】
また、前記流管の狭搾部分にテーパを設けるならば、狭搾される空間の入り口付近に水滴がぶつかって飛び散ることを防止できる。
【００１４】
また、前記透過窓の前記流管内側の面に防曇層を形成するならば、前記透過窓が曇ることを防止できる。
【００１５】
【発明の実施の形態】
以下、炭酸ガス濃度測定などに用いられる本発明のエアウェイアダプタの一実施の形態の構成例を図面を参照して説明する。図１は本発明の一実施の形態の構成例を示す軸線に沿った断面図、図２は図１の透明シート４の取付構造を示すＡ−Ａ線断面図である。これらの図において、図４，５，６に示す従来例の部分に対応する部分には同一の符号を付してあり、その説明は適宜省略する。
【００１６】
図１，２において、フレーム６は六角形状に形成されており、流管１の側壁の対向する位置に形成された窓部２の段差部３にその鍔部が当接した状態で窓部２に嵌合し、気密に固定されている。またフレーム６の内側の部分は流管１の内周面から内側に突出している。フレーム６の流管１内に突出する端面には、表面に防曇層５が形成された透明シート４が固定され透過窓を形成している。符号７は流管１に図示しない赤外線の発光部及び受光部が一体になったユニットを固定するための取付部である。
【００１７】
本実施の形態によれば、エアウエイアダプタを人工呼吸器の流路に装着したとき、流管１内を流れる呼吸気中の水分による水滴が流管１の内壁に沿って移動する。このときこの水分は図３に示すように流管１の内面に突出して設けられたフレーム６の外側を水の流路として通過するため、水滴がフレーム６の内側の面に張架された透明シート４の防曇層５上を通過することはない。この結果透明シート４を透過する赤外光が水滴の影響を受けることがなくなり、呼吸気内の炭酸ガス濃度の測定誤差が生ずることはない。
【００１８】
また、図９に示すように、フレーム６は、流管１において狭搾されていない空間まで形成されていても良い。ここでフレーム６は、本体部６ａと１対の端部６ｂとから構成され、全体で六角形となっている。本体部６ａは外形が若干異なるが上記実施の形態のフレーム６と同様の構成であり、窓部２の段差部３にその鍔部が当接した状態で窓部２に嵌合し、気密に固定されている（図２参照）。１対の端部６ｂはそれぞれ流管１の内側に流管１と一体に形成されており、それぞれの先端は狭搾されていない空間まで至っている。これにより、水滴が窓部２に進入する前にフレーム６により流路が分けられ、透明膜を通過することを一層回避することができる。また、図９に示すように、この例では狭搾部分９すなわち狭搾された空間の出入り口部分で、流管１の内側角部にテーパを設けている。これによって、狭搾部分９に水滴が衝突し飛散することが減少し、水滴が透明膜を通過することを更に回避することができる。
【００１９】
上記実施の形態では、フレーム６が六角形状に形成された場合について説明したが、フレーム６の形状は六角形に限定されるものでなく、流管１内を流れる呼吸気の流動抵抗を小さくできるものであれば他の形状であってもよい。また、透過窓はサファイアを使って形成してもフレームにより同様の効果を奏する。
【００２０】
【発明の効果】
以上説明したように、本発明のエアウエイアダプタによれば、流管内を流れる呼吸気中の水分による水滴が、フレームの外側を通過する。この結果、透過窓を透過する赤外光が水滴の影響を受けることがなくなり、ガス濃度などの測定誤差が生ずることがなく、長時間安定して測定することができる。
【図面の簡単な説明】
【図１】本発明のガス濃度測定用エアウエイアダプタの一実施の形態の構成例を示す軸線に沿った断面図。
【図２】図１のＡ−Ａ線断面図。
【図３】図１の流管内を流れる水分の流れを示す説明図。
【図４】従来のガス濃度測定用エアウエイアダプタの一例の構成を示す外観斜視図。
【図５】従来の流管への透明シートの取付構造の第１の例を示す断面図。
【図６】従来の流管への透明シートの取付構造の第２の例を示す断面図。
【図７】図６に示す第１の例の場合の水滴の滞留状態を示す説明図。
【図８】図７に示す第２の例の場合の水滴の流れを示す説明図。
【図９】他の実施の形態の構成を示す一部切り欠き斜視図。
【符号の説明】
１  流管                            ２  窓部
４  透明シート（透明膜）            ５  防曇層
６  フレーム
【図１】
0003677672.tif 000002
【図２】
0003677672.tif 000003
【図３】
0003677672.tif 000004
【図４】
0003677672.tif 000005
【図５】
0003677672.tif 000006
【図６】
0003677672.tif 000007
【図７】
0003677672.tif 000008
【図８】
0003677672.tif 000009
【図９】
0003677672.tif 000010